(57)【要約】ワイヤレス通信機器用の送信機デバイスは、少なくとも１つの経路（Ｐ１）を備え、該経路（Ｐ１）は、ｉ）差動信号をフィルタリングし、所定の第１の減衰量を各差動信号に付与して、各差動信号の振幅を減少させるローパスフィルタ（ＬＰＦ１＋，ＬＰＦ１−）と、ｉｉ）所定の第２の減衰量を前記ローパスフィルタ（ＬＰＦ１＋，ＬＰＦ１−）から供給される各差動信号に付与して、当該差動信号の連続成分を減少させるように構成した差動式のトランスコンダクタ（ＴＣ１＋，ＴＣ１−）と、ｉｉｉ）前記トランスコンダクタによって送出された差動信号を所定の無線周波数（ＲＦ）での局発キャリアと別々に混合して、送信すべき出力ＲＦ信号を送出する混合器（Ｍ１）とを含む。前記トランスコンダクタ（ＴＣ１＋，ＴＣ１−）は、第１の減衰量を有する差動信号から、２つのオリジナル信号を規定する２つのオリジナルセル（ＯＣ）と、前記オリジナル信号の一方のコピーを生成するように構成した、各Ｎ個の第１及びＮ個の第２の信号コピーセル（ＣＣ１〜ＣＣ６）とを備える。使用する信号コピーセルの個数が、前記第２の減衰量を規定し、付与すべき第１及び第２の減衰量は、（トランスコンダクタによって送出された差動信号の連続成分間のオフセットを、これらの差動信号の一方の振幅で除算することによって規定される）値が、前記経路の全利得範囲にわたって所定の最大値以下に留まるように、選定されている。
2008544682.tif 000002
【特許請求の範囲】
【請求項１】
ワイヤレス通信機器用の送信機デバイスであって、或る利得範囲を有する少なくとも１つの経路を備え、該経路は、第１及び第２の差動信号をフィルタリングし、所定の第１の減衰量を各差動信号に付与して、各差動信号の振幅を低下させるローパスフィルタと、所定の第２の減衰量を前記ローパスフィルタから供給される各差動信号に付与して、当該差動信号の連続成分を減少させるように構成した差動式のトランスコンダクタと、前記トランスコンダクタによって送出された前記第１及び第２の差動信号を所定の無線周波数での局発キャリアと別々に混合して、送信すべき第１又は第２の出力ＲＦ信号を送出する混合器とを含む、送信機デバイスにおいて、前記トランスコンダクタは、第１の減衰量を有する前記第１及び第２の差動信号から、それぞれ第１及び第２のオリジナル信号を規定する第１及び第２のオリジナルセルと、前記第１又は第２のオリジナル信号のコピーを生成するように構成した、各Ｎ個の第１及びＮ個の第２の信号コピーセルとを備え、使用する信号コピーセルの個数が、前記第２の減衰量を規定し、付与すべき前記第１及び第２の減衰量は、前記トランスコンダクタによって送出された前記第１及び第２の差動信号の連続成分間のオフセットを、前記トランスコンダクタによって送出された前記第１又は第２の差動信号の振幅で除算することによって規定される値が、前記経路の全利得範囲にわたって所定の最大値以下に留まるように、選定されていることを特徴とする送信機デバイス。  
【請求項２】
請求項１に記載の送信機デバイスにおいて、Ｎは、５以上であることを特徴とする送信機デバイス。
【請求項３】
請求項２に記載の送信機デバイスにおいて、Ｎは、６に等しいことを特徴とする送信機デバイス。
【請求項４】
請求項１〜３のいずれか一項に記載の送信機デバイスにおいて、前記ローパスフィルタは、一定の第１のステップの減衰量で異なる、少なくとも２つの異なる第１の減衰量を付与するように構成した第１の減衰手段を備えることを特徴とする送信機デバイス。
【請求項５】
請求項４に記載の送信機デバイスにおいて、前記一定の第１のステップの減衰量は、−２ｄＢに等しいことを特徴とする送信機デバイス。
【請求項６】
請求項４又は５に記載の送信機デバイスにおいて、前記ローパスフィルタは、一定の第２のステップの減衰量で異なる、少なくとも２つの異なる相補形の第１の減衰量を付与するように構成した第２の減衰手段を備えることを特徴とする送信機デバイス。
【請求項７】
請求項６に記載の送信機デバイスにおいて、前記一定の第２のステップの減衰量は、−１０ｄＢに等しいことを特徴とする送信機デバイス。
【請求項８】
請求項１〜７のいずれか一項に記載の送信機デバイスにおいて、選択されていない各Ｎ個の第１及びＮ個の第２の信号コピーセルは、−６ｄＢに等しい所定の第３の減衰量を導入して、前記第２の減衰量に寄与するようにしたことを特徴とする送信機デバイス。
【請求項９】
請求項１〜８のいずれか一項に記載の送信機デバイスにおいて、前記第１及び第２の差動信号と直交位相関係を有する第３及び第４の差動信号が供給され、且つ前記局発キャリアが供給される混合器を含む、別の経路を備えることを特徴とする送信機デバイス。
【請求項１０】
請求項１〜９のいずれか一項に記載の送信機デバイスにおいて、前記局発キャリアを生成するように構成した発信器を備えることを特徴とする送信機デバイス。
【請求項１１】
受信機デバイスと、請求項１〜１０のいずれか一項に記載の送信機デバイスとを備えることを特徴とするワイヤレス通信機器用のトランシーバ。
【請求項１２】
ＧＳＭ、又はＧＰＲＳ、又はＥＤＧＥ、又はＵＭＴＳ、又はＷＩＦＩ、又はＤＥＣＴのタイプの通信ネットワークにおける、請求項１〜１０のいずれか一項に記載の送信機デバイスか、又は請求項１１に記載のトランシーバの使用方法。
【発明の詳細な説明】
【技術分野】
【０００１】
本発明は、ワイヤレス通信機器の伝送路に関し、特に、直接変換アーキテクチャを有する伝送路のキャリア除去性能に関する。
【０００２】
ワイヤレス通信機器の伝送路は、主にデジタルのベースバンドプロセッサ及び無線周波（ＲＦ）デバイスを備えている。
【背景技術】
【０００３】
ＲＦデバイスは、通常、専用の発振器によって出力される局発信号によって駆動される送信機ＴＸ（回路又はデバイス）及び受信機（回路又はデバイス）ＲＸの双方を含むトランシーバそのものを備えている。当業者に周知のように、直接変換アーキテクチャにおける送信機は、
−  ベースバンドプロセッサによって供給され、直交位相関係を有する（Ｉ＋、Ｉ）及び（Ｑ＋、Ｑ）のベースバンド（被変調）差動信号を出力するＩ／Ｑ変調器と、
−  Ｉ及びＱの差動信号処理にそれぞれ専用とした２つの経路であって、各々の経路が、ベースバンドのＩ（又はＱ）差動信号が供給されて、所定の利得でベースバンドのＩ（又はＱ）差動信号を送出する自動利得制御手段、及び自動利得制御手段によって送出されたベースバンドのＩ（又はＱ）差動信号と発振器によって出力された周波数ＦＬＯを有する局発キャリア（正弦又は余弦のＲＦキャリア）とを混合し、当該ベースバンドのＩ（又はＱ）差動信号を局発周波数周波数ＦＬＯに等しいキャリア周波数を有するＲＦ信号に変換する混合器を有する２つの経路と、
−  ＲＦ信号を加算する加算器と、
加算器から出力されるＲＦ信号を増幅して、アンテナに供給する電力増幅器と、
を備える。
【０００４】
尚、“Ｉ信号”とは、ここでは同相成分信号として理解すべきものであり、“Ｑ信号”とは、ここでは直交成分信号として理解すべきものである。
【０００５】
各自動利得制御手段は、ベースバンドのＩ（又はＱ）差動信号をフィルタリングして、振幅を減少させるために、所定の第１の減衰量をベースバンドのＩ（又はＱ）差動信号の各々に付与するローパスフィルタと、差動信号の連続成分（ＤＣ）を減少させるために、所定の第２の減衰量をローパスフィルタから供給される各差動信号に付与するトランスコンダクタとを備える。
【０００６】
第１及び第２の減衰量の組み合わせを変えることによって、各経路の利得を制御することが可能である。従って、送信機は、或る範囲内にて選定した利得でＲＦ信号を出力することができ、例えば、ＧＰＲＳ又はＥＤＧＥタイプの通信ネットワークであるとき、４０ｄＢに等しい利得とすることができる。
【０００７】
直接変換アーキテクチャでは、ベースバンドのＩ（又はＱ）差動信号を混合器にて局部発振器（ＬＯ）のキャリアによって直接変調する。この際、不完全な変調器は、それが受信するベースバンドのＩ又はＱ差動信号間に、即ちＩ＋とＩ−との間、又はＱ＋とＱ−との間に、ＤＣオフセットを導入するため、このＤＣオフセットの寄与度をできるだけ低くするためにＬＯキャリアの除去（又は、ＬＯ漏洩の除去）を必要とする。
【０００８】
ＧＰＲＳ又はＥＤＧＥ１などの幾つかの通信ネットワークは、ＬＯキャリアの除去が全利得範囲にわたって或る閾値以下に留まるようにしている。この要件は、最先端の送信機を使用しても、満たすことができない。実際上、閾値を−３３．２ｄＢに等しくする場合には、導入された減衰量が約２４ｄＢより小さいままである限りは、要件は満たされるが、この減衰量は、ＧＰＲＳ又はＥＤＧＥネットワークにおける４０ｄＢの最大減衰量からは程遠いものである。
【０００９】
実際上、トランスコンダクタがその最大の第２の減衰量を生成するとき、即ちその信号コピーセルの全てを用いるときには、ＬＯキャリアの除去が、前記閾値より大きくなり、同時にローパスフィルタによって生成される第１の減衰量は増大し続けるようになる。この場合、ベースバンドの差動信号（例えば、Ｉ＋及びＩ−）間のＤＣオフセットは一定のままとなり、同時にＩ＋又はＩ−の振幅は低下してしまう。従って、ＬＯキャリアの除去は、増え続けるようになる。
【発明の開示】
【発明が解決しようとする課題】
【００１０】
従って、本発明の目的は、上述の状況を改善することにある。
【課題を解決するための手段】
【００１１】
このため、本発明が提供する１つのワイヤレス通信機器用の送信機デバイスは、少なくとも１つの経路を備え、該経路は、ｉ）第１及び第２の差動信号をフィルタリングし、所定の第１の減衰量を各差動信号に付与して、各差動信号の振幅を低下させるローパスフィルタと、ｉｉ）所定の第２の減衰量を前記ローパスフィルタから供給される各差動信号に付与して、当該差動信号の連続成分（ＤＣ）を減少させるように構成した差動式のトランスコンダクタと、ｉｉｉ）前記トランスコンダクタによって送出された第１及び第２の差動信号を所定の無線周波数（ＲＦ）での局発キャリアと別々に混合して、送信すべき第１又は第２の出力ＲＦ信号を送出する混合器とを含む。
【００１２】
この本発明による送信機デバイスは、各トランスコンダクタが、第１の減衰量を有する第１及び第２の差動信号から、それぞれ第１及び第２のオリジナル信号を規定する第１及び第２のオリジナルセルと、前記第１又は第２のオリジナル信号のコピーを生成するように構成した、各Ｎ個の第１及びＮ個の第２の信号コピーセルとを備え、使用する信号コピーセルの個数が、前記第２の減衰量を規定するようにしたことで特徴付けられる。付与すべき第１及び第２の減衰量は、トランスコンダクタによって送出された第１及び第２の差動信号の連続成分（ＤＣ）間のオフセットを、このトランスコンダクタによって送出された第１又は第２の差動信号の振幅で除算することによって規定される値が、前記経路の全利得範囲にわたって（即ち、どんな選択経路利得であっても）所定の最大値以下に留まるように、選定されている。
【００１３】
本送信機デバイスは、特に以下に述べるような、追加の特徴を別々に、又は組み合わせて含むことができる。
−  Ｎは、５以上にすることが有利である。例えば、Ｎは、６に等しくする。
−  ローパスフィルタは、例えば−２ｄＢに等しくすることができる、一定の第１のステップの減衰量で異なる、少なくとも２つの異なる相補形の第１の減衰量を付与するように構成した第１の減衰手段を備えることができる。
−  また、ローパスフィルタは、例えば−１０ｄＢと等しくすることができる、一定の第２のステップの減衰量で異なる、少なくとも２つの異なる相補形の第１の減衰量を付与するように構成した第２の減衰手段も備えることができる。
−  選択されていない各第１（Ｉ＋）及び第２（Ｉ−）の信号コピーセルは、−６ｄＢに等しい所定の第３の減衰量を導入して、第２の減衰量に寄与するようにすることができる。
−  本送信機デバイスは、第１及び第２の差動信号と直交位相関係を有する第３及び第４の差動信号が供給され、且つ局発キャリアが供給される混合器を含む、別の経路を備えることができる。
【００１４】
また、本発明は、前述したような、受信機デバイス（又は、回路）及び送信機デバイス（又は、回路）を備えるワイヤレス通信機器用のトランシーバを提供する。本発明は、送信部分のみに付与するものであることに留意することが重要である。
【００１５】
本発明は、特に、原点オフセット抑圧（Ｏｒｉｇｉｎ  Ｏｆｆｓｅｔ  Ｓｕｐｐｒｅｓｉｏｎ，ＯＯＳ）性能の改善用に、ＧＳＭ、又はＧＰＲＳ、又はＥＤＧＥ、又はＵＭＴＳ、又はＷＩＦＩ、又はＤＥＣＴタイプの通信ネットワークにおけるワイヤレス通信、或いは同等のワイヤレスネットワークに適合させる、携帯電話などの機器の構成要素に有利に付与することができる。
【００１６】
本発明の他の特徴及び利点は、以下の説明と図面から明らかになる。
【００１７】
図面は、本発明の理解に役立つだけではなく、必要であれば定義にも寄与する。
【発明を実施するための最良の形態】
【００１８】
本発明は、ＬＯキャリアの除去性能が全利得範囲にわたってほぼ一定である直接変換アーキテクチャを有するワイヤレス通信機器の伝送路用の、送信機デバイス（又は、回路）を提供するものである。 
【００１９】
“ほぼ一定のＬＯキャリアの除去性能”とは、ＬＯキャリアの除去が全利得範囲にわたって（即ち、どんな選択経路利得であっても）所定の最大値以下に留まるようにすることを意味する。
【００２０】
以下の説明では、ワイヤレス通信機器は、例えば、位相及び／又は振幅変調信号を送信するように適合させた、ＧＳＭ、又はＧＰＲＳ、又はＥＤＧＥ、又はＵＭＴＳ１タイプなどの携帯電話とする。しかしながら、本発明は、この種類の機器に限定されるものではない。ワイヤレス通信機器は、例えば通信デバイスを含むラップトップ又はＰＤＡ（携帯情報端末）とすることもできる。
【００２１】
まず、本発明を適用することができるトランシーバＴＲの一例について説明するのに、図１を参照する。本発明は、トランシーバの送信部に適用するだけではないことに留意することが重要である。本発明は、如何なるタイプの通信機器又は通信モジュールにも使用される送信機回路に適用することもできる。
【００２２】
図１に示すように、トランシーバＴＲは、発振器Ｇによって出力される局発信号によって駆動される送信機（デバイス又は回路）ＴＸ及び受信機（デバイス又は回路）ＲＸの双方を備える。
【００２３】
この発振器Ｇは、周波数ＦＬ０を有する４つのＦＬ０Ｉ＋、ＦＬ０Ｉ−、ＦＬ０Ｑ＋及びＦＬ０Ｑ−を出力する電圧制御発振器（ＶＣＯ）とすることができる。ＦＬ０Ｉ＋及びＦＬ０Ｉ−は、Ｉ信号の経路（Ｐ１）に専用とし、ＦＬ０Ｑ＋及びＦＬ０Ｑ−は、Ｑ信号の経路（Ｐ２）に専用とする。これらの信号は、混合器（それぞれ図１におけるＭ１及びＭ２）に同相直交関係で供給される。 そこで、図１に示す例では、発振器Ｇは、その出力側に直交ブロック（図示せず）を備える。
【００２４】
例えば、受信機ＲＸ（これは、本発明に関係しない）は、
−  アンテナ（図示さず）から信号を受信して、Ｉ及びＱの増幅した被変調信号を出力する低雑音増幅器ＬＮＡと、
−  Ｉの被変調信号を、発信器Ｇによって出力された周波数ｆＬＯを有する、負のＦＬ０−（又は正のＦＬ０＋）局発信号（キャリア）と混合する第１の混合器Ｍ３と、
−  Ｑの被変調信号を、発信器Ｇによって出力された周波数ｆＬＯを有する、負のＦＬ０−（又は正のＦＬ０＋）局発信号（キャリア）と混合する第２の混合器Ｍ４と、
−  第１の混合器Ｍ３及び第２の混合器Ｍ４によって混合したＩ及びＱの被変調信号が供給され、フィルタリングしたＩ及びＱの被変調信号を送出するバンドパスフィルタＢＰＦと、
−  フィルタリングしたＩ及びＱの被変調信号がそれぞれ供給され、増幅したフィルタリング後のＩ及びＱの被変調信号をそれぞれ出力する第１及び第２の増幅器Ａ１，Ａ２と、
−  第１及び第２の増幅器Ａ１，Ａ２によって信号供給され、復調信号をベースバンドプロセッサ（図示せず）に供給するＩ／Ｑ復調器ＤＲとを備える。
【００２５】
送信機ＴＸは、
−  ベースバンドプロセッサによって供給され、被変調の差動信号Ｉ＋及びＩ−を出力する第１の出力端、及び被変調の差動信号Ｑ＋及びＱ−を出力する第２の出力端を有する、Ｉ／Ｑ変調器ＭＲと、
−  ベースバンドのＩ及びＱ差動信号の処理にそれぞれ専用とした第１及び第２の処理経路Ｐ１，Ｐ２であって、各々が、ｉ）ベースバンドのＩ（又はＱ）差動信号が供給され、所定の利得でベースバンドのＩ（又はＱ）差動信号を送出する自動利得制御手段ＧＣＭ１又はＧＣＭ２、及びｉｉ）自動利得制御手段ＧＣＭ１又はＧＣＭ２によって送出されたベースバンドのＩ（又はＱ）差動信号を発信器Ｇによって出力された局発キャリアＦＬ０＋及びＦＬ０−と混合して、これらの差動信号を局発周波数ＦＬＯに等しいキャリア周波数を有するＲＦ信号に変換する混合器Ｍ１又はＭ２を含む、第１及び第２の処理経路Ｐ１，Ｐ２と、
−  第１及び第２の混合器Ｍ１，Ｍ２によって出力されたＩ及びＱのＲＦ信号を加算する加算器ＡＤと、
−  加算器ＡＤによって出力された信号を増幅して、アンテナに供給する電力増幅器ＰＡとを備える。
【００２６】
送信機ＴＸが、１つのタイプのベースバンド差動信号（Ｉ又はＱ）のみを処理しなければならない場合には、送信機ＴＸは、１つの処理経路のみを有すればよく、加算器を必要としないことに留意することが重要である。 
【００２７】
第１及び第２の混合器Ｍ１，Ｍ２は、如何なるタイプのものでもよく、例えばギルバートタイプの混合器とすることができる。送信機ＴＸをＥＤＧＥの機器ＣＥ（カスタマエッジ）向けのものとするときには、その変調器ＭＲを、８ＰＳＫのＩ／Ｑ変調器とする。変調器のタイプは、ネットワーク規格に依存する。例えば、ネットワーク規格がＧＰＲＳである場合には、変調器をＧＭＳＫタイプのものとする。
【００２８】
図２−Ｉ及び図２−ＩＩの非限定的な例に示すように、各自動利得制御手段ＧＣＭｉ（ｉ＝１及び２）は、ローパスフィルタＬＰＦｉ及びトランスコンダクタモジュールＴＣｉを備える。
【００２９】
より正確には、各自動利得制御手段ＧＣＭｉは、受信するベースバンドの差動信号（Ｉ＋，Ｉ−）又は（Ｑ＋，Ｑ−）を別々に減衰するように構成し、且つＩ＋（又はＱ＋）及びＩ−（又はＱ−）の処理にそれぞれ専用とした２つのサブ経路であって、各々がローパスフィルタＬＰＦｉ＋又はＬＰＦｉ−とトランスコンダクタモジュールＴＣｉ＋又はＴＣｉ−とを有する２つのサブ経路を備える。
【００３０】
各ローパスフィルタＬＰＦｉｊ（ｊ＝＋又は−）は、変調器ＭＲから受信するベースバンドのＩｊ（又はＱｊ）差動信号をフィルタリングし、所定の第１の減衰量を該差動信号に付与して、その振幅を減少させるように構成する。
【００３１】
例えば、図２−Ｉ及び図２−ＩＩに示すように、各ローパスフィルタのＬＰＦｉｊは、第１の減衰量を共に規定しながら、少なくとも２つの異なる相補形の減衰量を付与するように構成した、第１及び第２の可変減衰手段ＲＡ１及びＲＡ２を備える。
【００３２】
各第１の可変減衰手段ＲＡ１は、ローパスフィルタＬＰＦｉｊの入力端に位置付けられ、例えば−２ｄＢに等しくし得る一定の第１のステップの減衰量で異なる、別の減衰量を付与するように構成した可変抵抗減衰器とすることができる。通常、このような減衰器は、選択した固有抵抗に応じて、０ｄＢ、２ｄＢ、４ｄＢ、６ｄＢ及び８ｄＢの減衰量を付与するように構成する。
【００３３】
各第２の可変減衰手段ＲＡ２は、ローパスフィルタＬＰＦｉｊの出力端に位置付けられ、且つ例えば−１０ｄＢに等しくし得る一定の第２のステップの減衰量で異なる、別の減衰量を付与するように構成した可変抵抗減衰器とすることができる。通常、このような減衰器は、選択した固有抵抗に応じて、０ｄＢ、１０ｄＢ、２０ｄＢ及び３０ｄＢの減衰量を付与するように構成する。
【００３４】
各トランスコンダクタモジュールＴＣｉｊ（ｊ＝＋又は−）は、所定の第２の減衰量を、対応するローパスフィルタＬＰＦｉｊから受信するフィルタリングしたベースバンドのＩｊ（又はＱｊ）差動信号に与えて、その連続成分（ＤＣ）を減少させるように構成する。
【００３５】
各トランスコンダクタモジュールＴＣｉｊ（ｊ＝＋又は−）は、オリジナル電流セルＯＣと、並列に実装したＮ個の電流コピーセルＣＣｋ（ｋ＝１〜Ｎ）とを備える。
【００３６】
各オリジナル電流セルＯＣには、慣例通りに、演算増幅器を介して、対応するローパスフィルタＬＰＦｉｊによってフィルタリングした差動信号を供給する。各オリジナル電流セルＯＣは、受信した差動信号からオリジナル電流（信号）を規定するために、抵抗を介して接地したトランジスタを備える。 
【００３７】
各電流コピーセルＣＣｋは、オリジナルの電流セルＯＣと同一構成とし、オリジナルの電流セルＯＣへ直接又は間接に接続する。各電流コピーセルＣＣｋは、対応するオリジナルの電流セルＯＣによって規定されるオリジナル電流のコピーを生成するように構成する。
【００３８】
トランスコンダクタモジュールＴＣｉｊによって供給される第２の減衰量の値は、用いられる（選択された）電流コピーセルＣＣｋの数によって規定されるため、この値は、電流コピーセルＣＣｋが出力する全電流に寄与する。図２−Ｉ及び図２−ＩＩに示すように、各電流コピーセルＣＣｋは、２状態の電子スイッチＳＷによって選択することができる。尚、電子スイッチＳＷの電流状態（０又は１）は、専用レジスタの値によって規定される。
【００３９】
Ｎ個の電流コピーセルＣＣｋを用いる場合には、第２の減衰量を、０ｄＢに等しくする。これは、各トランジスタがそれ固有のバランス（即ち、寄与度）を取るようになるので、フルスケールで動作する。（Ｎ−ｍ）個の電流コピーセルＣＣｋを用いる場合には（１≦ｍ≦Ｎ）、第２の減衰量を、ｍｘＰ(ｄＢ)に等しくする。ここに、ｍは、整数とし、Ｐは、例えば−６ｄＢに等しい所定の第３の減衰量とする。
【００４０】
例えば、４（０．５＋０．５＋１＋２）に相当するバランス合計を有する６つのコピーセルを使用する場合で、且つ−６ｄＢの減衰量を得たい場合には、ｘ２のバランスを有するコピーセルを使用しないようにすれば、２(０．５＋０．５＋１)に相当するバランス合計を誘発し、この場合の減衰量は、フルスケールと比較して、２０ｌｏｇ(２／４)＝−６ｄＢに等しくなる。この際、−１２ｄＢの減衰量を得たい場合に、ｘ１及びｘ２のバランスを有するコピーセルを使用しないようにすれば、１(０．５＋０．５)に相当するバランス合計を誘発し、この場合の減衰量は、フルスケールと比較して、２０ｌｏｇ(１／４)＝−１２ｄＢに等しくなる。
【００４１】
こうして、共に組み合わせて用いるコピーセルの個数に応じて、多くの異なる減衰量を得ることができるようになる。
【００４２】
このような構成により、考えられる処理経路Ｐｉの利得は、第１及び第２の減衰量の選定した組み合わせに依存するようになる。
【００４３】
本発明によれば、第１及び第２の減衰量の各組み合わせを、ＬＯキャリアの漏洩を表す比率Ｒの値が、考えられる処理経路Ｐｉの全利得範囲にわたって所定の最大値以下に留まるように、選定する。
【００４４】
この比率Ｒは、トランスコンダクタモジュールのＴＣｉ＋及びＴＣｉ−によって送出された、それぞれ第１及び第２の差動信号（Ｉ＋及びＩ−、又はＱ＋及びＱ−）の連続成分（ＤＣ）間のオフセットを、トランスコンダクタモジュールのＴＣｉ＋及びＴＣｉ−によって送出された第１又は第２の差動信号の振幅で除算することによって規定される。即ち、次式にて規定される。
【００４５】
2008544682.tif 000003
【００４６】
ここに、Ｉｊ及びＱｊ（ｊ＝＋又は−）は、それぞれＩ信号及びＱ信号の振幅である。
【００４７】
各トランスコンダクタモジュールＴＣｉｊの電流コピーセルＣＣｋの数Ｎは、比率Ｒに関連する要件が、考えられる処理経路Ｐｉの全利得範囲にわたって、即ち選択した処理経路の利得がどんなであっても満たされるように、選定することもできる。
【００４８】
送信機ＴＸをＧＰＲＳ又はＥＤＧＥの機器ＣＥ（カスタマエッジ）向けのものとするときには、トランスコンダクタモジュールＴＣｉｊの各々は、少なくとも５つの電流コピーセルＣＣｋを備える（Ｎ≧５）。各トランスコンダクタモジュールＴＣｉｊが、６つの電流コピーセルＣＣ１〜ＣＣ６を備える実施例を図２−Ｉ及び図２−ＩＩに示した。Ｎは、５、７又は８に等しくするか、又は必要であれば、それ以上とすることができることに留意することが重要である。重要なことは、第１及び第２の減衰量の各組み合わせが、利得を規定するとともに、可変減衰器ＲＡ１及び／又はＲＡ２の選択した抵抗と、選択した電流コピーセルの数ｍとによって規定して、常に所定の最大値以下となる計測値を有する比率Ｒ（この比率は、ＬＯキャリアの漏洩を表す）を誘発するようにすることである。
【００４９】
送信機ＴＸを、ＥＤＧＥの機器ＣＥ（カスタマエッジ）向けのものとするとき、Ｒの所定の最大値は、規格によって許容される最大のＬＯキャリア漏洩（−３３．２ｄＢ）に相当する。更に、この値は、ＥＤＧＥの機器に対するＯＯＣに関連付けられ、このＯＯＣは、完全な送信電力範囲にわたって、アンテナ出力に準拠させる（３０ｄＢより良くする）必要がある。これは、Ｉ信号及びＱ信号の振幅を可変とする理由、及び減衰量を必要とする理由を説明している。これに加えて、マージンが必要であり、このマージンは、モバイルの製造者に依存する。例えば、ＯＯＳの性能は、最小の要件と比較して、３ｄＢ（リニアスケールにて２倍）より良くするようにする。これは、顧客満足度に達するために、ＯＯＳを３３ｄＢより良くすることを意味する。
【００５０】
処理経路利得に対するＬＯ漏洩を示すモンテカルロ・シミュレーションの例を、図３に示す。より正確には、黒い正方形（■）を有する曲線は、６つの電流コピーセルＣＣｋを備える送信機デバイスＴＸ（本発明による送信機デバイス）のＬＯキャリア漏洩を表し、他方の曲線（−）は、４つの電流コピーセルを備える最先端の送信機デバイスにおけるＬＯキャリアの漏洩を表している。図３の曲線を測定するのに用いた、（ＴＣｉｊからの）第１の減衰量と、（ＬＰＦｉｊのＲＡ１及びＲＡ２からの）第２の減衰量との組み合わせを、以下に示す表１（最先端）及び表２（本発明）に詳述する。
【００５１】
【表１】
2008544682.tif 000004
【００５２】
【表２】
2008544682.tif 000005
【００５３】
トランシーバＴＲは、デジタルベースバンドプロセッサと同じチップ上か、又は別個のチップ上に規定することができる。更に、本発明による送信機デバイスＴＸは、チップ製造の産業界にて用いられる技法で実現した集積回路とすることができる。
【００５４】
本発明は、上述した送信機デバイス及びトランシーバの実施例に限定されるものではなく、特許請求の範囲内にて当業者が想到することができる全ての別の実施例を包含する。
【図面の簡単な説明】
【００５５】
【図１】直接変換アーキテクチャを有するトランシーバを備えるワイヤレス通信機器の一部を概略的に示した図である。
【図２−Ｉ】本発明による送信機デバイスの処理経路（Ｉ信号用のＰ１）の実施例を概略的に示した図である。
【図２−ＩＩ】本発明による送信機デバイスの処理経路（Ｉ信号用のＰ１）の実施例の他の部分を概略的に示した図である。
【図３】最先端の送信機デバイス（−）及び本発明による送信機デバイス（■）にそれぞれ対応する、利得の関数としてＬＯ漏洩の２つのモンテカルロ・シミュレーションを示した図である。
【図１】
2008544682.tif 000006
【図２−Ｉ】
2008544682.tif 000007
【図２−ＩＩ】
2008544682.tif 000008
【図３】
2008544682.tif 000009
【国際調査報告】
2008544682.tif 000010
2008544682.tif 000011
2008544682.tif 000012
2008544682.tif 000013